(57)【要約】【課題】汚染源にかかわらず、ＧＣ／ＭＳ法と一致した測定結果（毒性等量）を算出するための方法を提供すること。【解決手段】本発明のダイオキシン類の毒性等量の免疫測定方法は、ダイオキシン類を含む試料と３，３’，４，４’，５，５’−ヘキサクロロビフェニルに親和性を有する抗ダイオキシン類抗体とを反応させる工程；該抗ダイオキシン類抗体と結合したダイオキシン類の量または該ダイオキシン類と結合しなかった該抗ダイオキシン類抗体の量を検出する工程；および、該検出した量から該試料中の毒性等量を算出する工程；を含み、該抗ダイオキシン類抗体は、モノクローナル抗体である。好適には、抗ダイオキシン類抗体は、さらに２，３，４，７，８−ペンタクロロジベンゾフランにも親和性を有する。【選択図】なし【特許請求の範囲】
【請求項１】
ダイオキシン類の毒性等量の免疫測定方法であって、
ダイオキシン類を含む試料と３，３’，４，４’，５，５’−ヘキサクロロビフェニルに親和性を有する抗ダイオキシン類抗体とを反応させる工程；
該抗ダイオキシン類抗体と結合したダイオキシン類の量または該ダイオキシン類と結合しなかった該抗ダイオキシン類抗体の量を検出する工程；および
該検出した量から該試料中の毒性等量を算出する工程；
を含み、
該抗ダイオキシン類抗体が、モノクローナル抗体である、
方法。
【請求項２】
前記抗ダイオキシン類抗体が、さらに２，３，４，７，８−ペンタクロロジベンゾフランに親和性を有する、請求項１に記載の方法。
【請求項３】
前記検出工程が、酵素免疫測定法、放射性免疫測定法、および蛍光免疫測定法からなる群より選択される方法に基づいて行われる、請求項１または２に記載の方法。
【発明の詳細な説明】
【技術分野】
【０００１】
本発明は、ダイオキシン類に特異的に反応する抗体を用いて、試料中のダイオキシン類濃度（毒性等量）を測定する方法に関する。より詳細には、試料中に含まれるダイオキシン類の異性体分布にかかわらず、毒性等量を算出する方法に関する。
【背景技術】
【０００２】
ダイオキシン類とは、ポリクロロジベンゾ−パラ−ジオキシン（ＰＣＤＤｓ）、ポリクロロジベンゾフラン（ＰＣＤＦｓ）、およびコプラナーＰＣＢ（Ｃｏ−ＰＣＢｓ）の総称である。ダイオキシン類には、多くの異性体があり、それぞれ毒性が異なるため、その排出規制は毒性等量（ＴＥＱ：Toxicity Equivalency Quantity）によって行われている。毒性等量は、ダイオキシン類の異性体の中で最も毒性の強い２，３，７，８−テトラクロロジベンゾ−パラ−ジオキシン（２，３，７，８−ＴｅＣＤＤ）の毒性を１としたときの異性体ごとの毒性の強さを表した値（毒性等価係数：ＴＥＦ：Toxicity Equivalency Factor）と各異性体濃度との積を総和したものである。
【０００３】
公定法（高分解能ガスクロマトグラフィー質量分析（ＨＲＧＣ／ＨＲＭＳ）法）では、２９種類の各ダイオキシン類の異性体濃度を計測し、それぞれの濃度にＴＥＦ値をかけ、その総和をＴＥＱ値として算出する。したがって、ＴＥＱ値を算出するためには個々のダイオキシン類の異性体を定量する必要があり、これには長時間を要するだけでなく、高度な分離・分析技術が必要になる。
【０００４】
従来、抗体を用いて試料中のダイオキシン類濃度を測定する場合には、毒性が最も高い２，３，７，８−ＴｅＣＤＤと、または２，３，４，７，８−ペンタクロロジベンゾフラン（２，３，４，７，８−ＰｅＣＤＦ）のような五塩素化または六塩素化ジベンゾフラン類との反応性が高い抗体を測定に供していた。
【０００５】
ダイオキシン類の中で最も毒性が高い異性体である２，３，７，８−ＴｅＣＤＤに特異的反応性を示す抗体を測定に使うと、試料中の２，３，７，８−ＴｅＣＤＤ濃度を知ることができるが、その試料の毒性等量を求めることはできない。なぜなら、同一試料における２，３，７，８−ＴｅＣＤＤ濃度と毒性等量との間に有意な相関性がないからである。また、ダイオキシン類にかかる環境基準および排出基準は、媒体および排出施設などの規模ごとに毒性等量で規制値が設定されているため、２，３，７，８−ＴｅＣＤＤ濃度を測定しても、その試料が規制基準を超過しているのか否か判断できない。一方、廃棄物焼却施設から排出される排出ガスおよびばいじんのＨＲＧＣ／ＨＲＭＳ法による分析結果から、２，３，４，７，８−ＰｅＣＤＦなどの五塩素化および六塩素化ジベンゾフラン類が毒性等量と有意な相関性を有することが報告されており、これらの異性体をＴＥＱ指標異性体と呼んでいる（非特許文献１および２）。
【０００６】
近年、この関係を利用して、２，３，４，７，８−ＰｅＣＤＦに特異的反応性を示す抗体を用いた方法が提案されている（特許文献１）。この方法では、まず、濃度既知の試料（数十検体）を事前に測定し、得られた反応量とＧＣ／ＭＳ法で測定した毒性等量とから換算係数を算出する。次に、濃度未知試料を免疫測定法により測定し、得られた測定値（標準品換算濃度）に換算係数を乗じて毒性等量に変換する。排出ガスおよびばいじんの測定に２，３，４，７，８−ＰｅＣＤＦのような指標異性体と反応する抗体を使用すれば、ＧＣ／ＭＳ法で測定した毒性等量と良好に一致する測定結果を得ることができる。例えば、非特許文献３および４には、全種類の六塩素化ＰＣＤＦｓと１種類の六塩素化ＰＣＤＤとのいずれにも約３５〜４６％の交差反応性を示し、さらに、ＴＥＦ値を有する他のダイオキシン異性体にも約１０％の反応性を示すダイオキシン類に広範な交差反応性を有する抗体が記載され、該抗体を用いて環境試料を測定した結果、ＧＣ／ＭＳ測定値との間に相関性が見られたことが報告されている。
【０００７】
また、より多種類のダイオキシン異性体を測定することまたは測定系での安定性を目的として、種々の抗ダイオキシン類モノクローナル抗体が開発されている（特許文献２および３）。さらに、定量のための毒性の低いダイオキシン類標準品も開発されている（特許文献４）。
【０００８】
しかし、排出ガスやばいじんのようにダイオキシン類の異性体分布が採取箇所にかかわらずほぼ一定である場合には良好な測定結果が得られるが、ダイオキシン類汚染土壌および底質のように試料の採取箇所によって異性体分布が大きく異なる試料を測定する際には、ＧＣ／ＭＳ法と良好に一致する測定結果が得られにくいという問題がある。特に、ＰＣＢが毒性等量の５０％以上を占める試料を測定すると、ＧＣ／ＭＳ法よりも著しく低い測定結果が算出され、擬似陰性を招くことがある。
【先行技術文献】
【特許文献】
【０００９】
【特許文献１】特開２００５−１９４２３８号公報
【特許文献２】特開２００７−２８４３９２号公報
【特許文献３】特許第３９６９８７８号公報
【特許文献４】国際公開第２００４／０２０３９７号パンフレット
【非特許文献】
【００１０】
【非特許文献１】柴山基ら、第１１回環境化学討論会講演要旨集，2002年，136-137頁
【非特許文献２】松枝隆彦ら、第１１回環境化学討論会講演要旨集，2002年，402-403頁
【非特許文献３】藤平弘樹ら、環境浄化技術，2003年，第2巻，63-66頁
【非特許文献４】藤平弘樹ら、資源環境対策，2003年，第39巻，62-68頁
【発明の概要】
【発明が解決しようとする課題】
【００１１】
本発明は、汚染源にかかわらず、ＧＣ／ＭＳ法と一致した測定結果（毒性等量）を算出するための方法を提供することを目的とする。
【課題を解決するための手段】
【００１２】
本発明は、ダイオキシン類の毒性等量の免疫測定方法を提供し、該方法は、
ダイオキシン類を含む試料と３，３’，４，４’，５，５’−ヘキサクロロビフェニルに親和性を有する抗ダイオキシン類抗体とを反応させる工程；
該抗ダイオキシン類抗体と結合したダイオキシン類の量または該ダイオキシン類と結合しなかった該抗ダイオキシン類抗体の量を検出する工程；および
該検出した量から該試料中の毒性等量を算出する工程；
を含み、
該抗ダイオキシン類抗体は、モノクローナル抗体である。
【００１３】
１つの実施態様では、上記抗ダイオキシン類抗体は、さらに２，３，４，７，８−ペンタクロロジベンゾフランに親和性を有する。
【００１４】
１つの実施態様では、上記検出工程は、酵素免疫測定法、放射性免疫測定法、および蛍光免疫測定法からなる群より選択される方法に基づいて行われる。
【発明の効果】
【００１５】
本発明の方法によれば、汚染源にかかわらず、公定法（ＧＣ／ＭＳ法）によるＴＥＱ（毒性等量）と一致した測定結果を、迅速に算出することができる。この方法により、環境試料中のダイオキシン類の簡易分析、モニタリングなどが容易になる。
【図面の簡単な説明】
【００１６】
【図１】ＥＬＩＳＡの測定原理および手順を示す模式図である。
【図２】土壌試料におけるＥＬＩＳＡ測定値（抗体Ａ）とＧＣ／ＭＳ値との相関関係を示すグラフである。
【図３】底質試料におけるＥＬＩＳＡ測定値（抗体Ａ）とＧＣ／ＭＳ値との相関関係を示すグラフである。
【図４】土壌試料におけるＥＬＩＳＡ測定値（抗体Ｂ）とＧＣ／ＭＳ値との相関関係を示すグラフである。
【図５】底質試料におけるＥＬＩＳＡ測定値（抗体Ｂ）とＧＣ／ＭＳ値との相関関係を示すグラフである。
【発明を実施するための形態】
【００１７】
本発明のダイオキシン類の毒性等量の免疫測定方法は、
ダイオキシン類を含む試料と３，３’，４，４’，５，５’−ヘキサクロロビフェニルに親和性を有する抗ダイオキシン類抗体とを反応させる工程；
該抗ダイオキシン類抗体と結合したダイオキシン類の量または該ダイオキシン類と結合しなかった該抗ダイオキシン類抗体の量を検出する工程；および
該検出した量から該試料中の毒性等量を算出する工程；
を含む。
【００１８】
（試料）
本発明の方法により測定される試料は特に限定されない。例えば、環境から採取した環境試料、生物試料、食品、実験用に調製したダイオキシン類溶液であってもよい。本発明の方法は、特に、試料として環境試料を用いる場合に好適である。環境試料としては、大気；自動車、機器、工場などからの排気ガス；土壌；河川、湖、港湾などの水；燃焼灰、飛灰などが挙げられる。生物試料としては、母乳、血液、尿などが挙げられる。
【００１９】
上記試料は、そのまま本発明の免疫測定方法に供してもよく、あるいは前処理（例えば、クリーンアップ）により試料からダイオキシン類を含む画分を抽出してもよい。好ましくは、試料に応じて前処理を行う。抽出には、トルエン、ヘキサン、ジクロロメタンなどの非極性有機溶媒が好適に用いられる。抽出した画分は、ジメチルスルホキシド（ＤＭＳＯ）、メタノール、エタノールなどの水混和性有機溶媒が好適に用いられる。前処理方法を以下に例示するが、前処理方法はこれらに限定されない。
【００２０】
排気ガス試料の前処理は、公定法（ＪＩＳ  Ｋ０３１１）に準じて行われる。例えば、まず、任意の量（Ｎｍ３）のガスを採取し、トルエン、ヘキサン、ジクロロメタンなどの非極性有機溶媒でガス中の物質を抽出し、２０ｍｌに定量して粗抽出液とする。この粗抽出液１０ｍｌを分取し、硫酸層の着色がなくなるまで硫酸で処理する。この溶液をヘキサンに転溶した後、硫酸ナトリウム１ｇ、１０％(w/v)硝酸銀シリカゲル１ｇ、およびシリカゲル３ｇを積層した多層シリカゲルカラムに、ヘキサン２００ｍｌで流通させてクリーンアップを行い、最終的に１ｍｌのＤＭＳＯに定量した溶液を免疫測定に供する。
【００２１】
土壌および飛灰試料の前処理については、以下のとおりである。まず、任意の量（ｇ）の土壌または飛灰を採取し、トルエンで試料中の物質を抽出し、２０ｍｌに定量して粗抽出液とする。この粗抽出液１ｍｌを分取してクリーンアップを行い、最終的に２ｍｌのＤＭＳＯに定量した溶液を免疫測定に供する。
【００２２】
（抗ダイオキシン類抗体）
本発明の方法に使用する抗ダイオキシン類抗体は、３，３’，４，４’，５，５’−ヘキサクロロビフェニル（３，３’，４，４’，５，５’−ＨｘＣＢ）に親和性を有する。
【００２３】
本発明の方法で使用する抗ダイオキシン類抗体は、モノクローナル抗体である。これは、ダイオキシン誘導体を高分子化合物に結合させたコンジュゲートを免疫用抗原として免疫した哺乳動物（例えば、マウス）の脾臓細胞と、モノクローナル抗体作製に通常用いられるミエローマ細胞との融合細胞（ハイブリドーマ細胞）を作製し、このハイブリドーマ細胞が生産するモノクローナル抗体を精製することによって得られる。
【００２４】
本発明においては、免疫用抗原に用いるダイオキシン誘導体は、公知の方法により調製することができる（Kun Chaeら、J. Agric. Food.，1977年，25巻，1207-1209頁；Simona G. Mericaら、Can. J. Chem.，1995年，73巻，826-834頁）。ダイオキシン誘導体はハプテン化合物であり、それ自体が免疫原性を有さないため、免疫原性を有する高分子化合物をキャリア化合物として結合させて複合体を形成させることにより、免疫原とすることができる。
【００２５】
ダイオキシン誘導体の免疫用抗原の製造方法は特に限定されないが、例えば、以下の方法により製造することができる。１，２−ジクロロ−４−フルオロ−３，５−ジニトロベンゼンと４，５−ジクロロカテコールとをアセトン中、炭酸カリウムおよびクラウンエーテル存在下、６時間還流することによって、１−ニトロ−２，３，７，８−テトラクロロジベンゾ−ｐ−ダイオキシンを得る。この化合物を、ベンゼン中、亜鉛粉末および濃硫酸によって還元して、１−アミノ−２，３，７，８−テトラクロロジベンゾダイオキシンを得る。次いで、無水ジメチルホルムアミド（ＤＭＦ）中、Ｎ，Ｎ−ジメチル−４−アミノピリジン（ＤＭＡＰ）を塩基として６０℃の加熱下にてエチルグルタリルクロリドと反応させることによってアシル化し、さらにアルカリ加水分解することにより、カルボン酸化されたダイオキシン誘導体が得られる。得られたカルボン酸化ダイオキシン誘導体は、以下の式
【００２６】
【化１】
2010266317.tif 000002
【００２７】
（式中、Ｘは塩素または水素を示し、そしてｎは１〜１０の整数を示す）で表される。さらに、このカルボン酸化ダイオキシン誘導体とＮ−ヒドロキシスクシンイミドとを、有機溶媒中でジシクロヘキシルカルボジイミドや水溶性カルボジイミドなどのカップリング剤の存在下にて反応させて、イミドエステル体に変換する。このイミドエステル化ダイオキシン誘導体は、免疫用の抗原として用いられる。また、必要に応じて、シリカゲルカラムクロマトグラフィーや再結晶などの精製操作によって高純度化してもよい。
【００２８】
ハプテン化合物と結合させるためのキャリア化合物として用いられる高分子化合物は、１万以上の分子量であることが好ましく、例えば、ヘモシアニン、卵白アルブミン、ウシ血清アルブミン、ウサギ血清アルブミンなどのタンパク質、アガロースなどの多糖、不活性化した細菌が挙げられる。中でも、キーホールリンペットヘモシアニン（ＫＬＨ）およびウシ血清アルブミン（ＢＳＡ）が、操作性および免疫原性の点で好ましい。
【００２９】
上記のイミドエステル化したハプテン化合物とキャリア化合物との結合は、通常、含水有機溶媒中で行われる。まず、イミドエステル化ダイオキシン誘導体を、メタノール、ＤＭＳＯなどの有機溶媒に溶解する。同様に、ＢＳＡやＫＬＨなどのキャリア化合物を、リン酸緩衝液などのアミノ基を含有しない成分からなる緩衝液に溶解する。次いで、緩衝液に溶解したキャリア溶液をイミドエステル化ダイオキシン誘導体溶液中へ徐々に添加して反応させる。こうして得られた免疫用抗原は、必要に応じて、ゲル濾過、透析などによって適切な緩衝液に置換して精製される。
【００３０】
上記のようにして得られた免疫用抗原を用いて、公知の方法、例えば、Kohler G.およびMilstein C.（Nature，1975年，256巻，495-497頁）の方法に準じてモノクローナル抗体を作製することができる。以下に例を示すが、この方法に限定されるものではない。
【００３１】
上記のような可溶性物質を免疫用抗原として免疫する場合は、通常、免疫用抗原をアジュバントとともにエマルジョン状態にして動物に投与する。用いられるアジュバントとしては、フロイントアジュバント、ミョウバンアジュバント、百日咳死菌体などが挙げられる。
【００３２】
免疫する動物としては、通常ＢＡＬＢ／ｃマウスが用いられる。あるいは、Ｆ１マウス、ハムスターなどを用いてもよい。１匹のマウスに免疫する抗原量は、免疫用抗原に毒性がある場合、通常５〜２０μｇ／回程度である。具体的には、例えば、生理食塩水で１００〜５００μｇ／ｍｌになるように調製した免疫用抗原と完全フロイントアジュバントとを等量ずつ混合してエマルジョンを調製し、０．０５〜０．１ｍｌ／匹ずつ注射する。エマルジョンの投与は、腹腔内注射および皮下注射が好ましい。免疫用抗原は、通常、１〜２週間おきに数回投与される。免疫したマウスは、各投与の数日後に採血し、十分に抗体価が上昇したことを確認した後、同量の免疫用抗原を静脈内または腹腔内に注射し、その３〜４日後に脾臓を摘出し、抗体産生細胞を回収する。
【００３３】
細胞融合に用いられるミエローマ細胞は、特に限定されず、公知のものを使用できる。このようなミエローマ細胞としては、例えば、ＢＡＬＢ／ｃマウス由来のＮＳ−１、Ｐ３Ｕ１、ＳＰ２、Ｘ６３．６．５．３などが挙げられる。
【００３４】
抗体産生細胞とミエローマ細胞との融合は、当業者に公知の方法で行えばよく、特に限定されない。融合操作が簡単である点で、ポリエチレングリコール（ＰＥＧ）法が好ましい。一般的に用いられるＰＥＧの平均分子量は、１０００〜６０００であり、通常３０〜５０％(v/v)の濃度で用いられる。
【００３５】
摘出した脾臓より回収した脾臓細胞は、対数増殖期にあるミエローマ細胞と混合して細胞融合を行う。具体的には、混合した脾臓細胞とミエローマ細胞とを遠心分離してペレットを得、これにＰＥＧ溶液を加えて、撹拌および振とうによって融合させる。
【００３６】
細胞融合後、融合細胞（ハイブリドーマ細胞）について目的の抗体産生の有無をスクリーニングする。例えば、遠心分離によりハイブリドーマ細胞を洗浄した後、ＨＡＴ（ヒポキサンチン、アミノプテリンおよびチミジン）添加増殖培地に移し、９６ウェル培養プレートにて培養する。融合操作の数日後より、コロニーの増殖が認められたウェルの培養上清を採取し、ダイオキシン類を固相化したプレートを用いて、ダイオキシン類との反応性を酵素免疫測定法（ＥＩＡ法）により確認する。スクリーニングは、例えば、２０〜５０％(v/v)濃度の有機溶媒（例えば、ＤＭＳＯ）中で短時間（１０〜３０分間）抗原抗体反応を行い、抗原結合活性を有するクローンを取得し、さらに該有機溶媒中での反応性評価を行ってクローンの選抜を行う。スクリーニング後、抗体産生が確認されたウェルを選び、限界希釈法にてクローニングを行い、単一の抗体産生クローンを樹立する。
【００３７】
樹立したクローンからモノクローナル抗体を調製するには、ハイブリドーマ細胞をプレートやフラスコで培養し、その培養上清を取得する。さらに、ハイブリドーマ細胞を、予めプリスタン（２，６，１０，１４−テトラメチルペンタデカン）を投与したマウスの腹腔内に移植し、１０〜１４日後に腹腔に溜まった腹水を回収することによっても、モノクローナル抗体を得ることができる。
【００３８】
上記のようにして得られた培養液または腹水は、必要に応じて、イオン交換クロマトグラフィー、疎水クロマトグラフィー、あるいはプロテインＡまたはプロテインＧを固定化したアフィニティークロマトグラフィーなどにより精製し、モノクローナル抗体標品とすることができる。こうして得られたモノクローナル抗体は、３０％(v/v)ＤＭＳＯ水溶液中で実質的な抗原結合能を保持する。
【００３９】
本発明の方法で使用する抗ダイオキシン類抗体は、３，３’，４，４’，５，５’−ＨｘＣＢを認識するものであればよく、さらに２，３，４，７，８−ＰｅＣＤＦも認識することが好ましい。最も強い毒性を有する２，３，７，８−ＴｅＣＤＤに対する交差反応性は０．１％未満である。
【００４０】
（ダイオキシン類の測定）
本発明のダイオキシン類の毒性等量の免疫測定方法は、まず、ダイオキシン類を含む試料と上記抗ダイオキシン類抗体とを反応させ、次いで、該抗ダイオキシン類抗体と結合したダイオキシン類の量または該ダイオキシン類と結合しなかった該抗ダイオキシン類抗体の量を検出する。
【００４１】
試料中のダイオキシン類を免疫学的に検出する方法としては、検出手段に応じて、放射性免疫測定法（ＲＩＡ）、酵素免疫測定法（ＥＩＡ、ＥＬＩＳＡ）、蛍光免疫測定法（ＦＩＡ）、免疫クロマトグラフィー、化学発光酵素免疫測定法（ＣＬＥＩＡ）、免疫比濁法（ＴＩＡ）、ラテックス免疫比濁法（ＬＴＩＡ）などが挙げられる。本発明においては、酵素免疫測定法（ＥＩＡ）、放射性免疫測定法（ＲＩＡ）、および蛍光免疫測定法（ＦＩＡ）からなる群より選択される方法が好適に採用される。測定の簡便さから、ＥＩＡが特に好ましい。
【００４２】
上記の各測定方法には、競合型測定法、非競合型測定法、均質法などがある。ダイオキシン類は低分子化合物であるため、通常競合法により行われ得る。競合法には、マイクロプレートのウェル、チューブなどに抗原を固定化する間接競合法、ならびにウェルやチューブなどに抗体を固定化する直接競合法がある。ＥＩＡの場合を例に挙げて、間接競合法および直接競合法について説明する。
【００４３】
間接競合法においては、ウェルに固定化する競合用抗原として、ダイオキシン類またはこれらとキャリアタンパク質との複合体を用いる。樹脂製またはガラス製などの未処理の反応容器を用いる場合は、ダイオキシン類単独では容器に固定化するのが困難であるため、キャリアタンパク質との複合体を用いることが好ましい。また、アミノ基またはカルボキシル基のような反応性の高い官能基で表面が活性化された反応容器を使用する場合は、ダイオキシン類単独でもこれらの官能基を介して容器に固定化することができる。キャリアタンパク質の有無にかかわらず、ダイオキシン類にはリンカーを結合させることが好ましい。これにより、立体障害が緩和されて競合用抗原と抗ダイオキシン類抗体との反応性が良好になり、そのため試料中のダイオキシン類の測定感度が向上する。
【００４４】
競合用抗原として用いるダイオキシン類としては、測定に用いる抗ダイオキシン類抗体により認識されるものであれば特に限定されない。例えば、上記の免疫用抗原に用いたダイオキシン類が用いられ得る。あるいは、これらのダイオキシン類との構造上の共通性の低いダイオキシン類またはダイオキシン様化合物などの競合用抗原を用いることができる。このような競合用抗原を用いることにより、競合用抗原と抗ダイオキシン類抗体との反応性が被験試料中のダイオキシン類との反応性より低くなり、試料中のダイオキシン類濃度の検出感度が向上する。
【００４５】
キャリアタンパク質は特に限定されず、公知のキャリアタンパク質を使用できる。このようなキャリアタンパク質として、ＫＬＨ、ＢＳＡなどが挙げられる。また、リンカーは、抗体との結合に立体障害を及ぼさないもの、反応過程において溶解性に支障をきたさないものが好ましく、例えば、ポリメチレン鎖などが挙げられる。リンカーは、ダイオキシン類もしくはダイオキシン様化合物またはこれらとキャリアタンパク質および／または容器との間に配置される。
【００４６】
さらに、競合用抗原として、例えば、特許文献４に開示されるクロロフェノール誘導体を用いることにより高感度にダイオキシン類を定量できる。このクロロフェノール誘導体は、検量線作成用の標準品としても使用され得る。この場合は、クロロフェノール誘導体の末端に結合しているアミノ酸またはペプチド部分をＢＳＡなどのキャリアタンパク質に変えることにより固相化用抗原を作製することができる。
【００４７】
間接競合法は、例えば、次のようにして行われ得る。図１に測定原理の概略図を示す。まず、競合用抗原を、上記のようにマイクロプレートのような反応容器のウェル内に固相化し、固相化抗原とする。次いで、ウェル表面の抗原が結合していない部分をＢＳＡ、カゼインなどの市販のブロッキング剤でブロックする。このウェルに試料（好適には、前処理した試料）と一次抗体である抗ダイオキシン類抗体とを加えて、試料中のダイオキシン類と固相化抗原を抗ダイオキシン類抗体に対して競合反応させる。固相化抗原と結合しなかった抗ダイオキシン類抗体を洗浄除去後、同ウェルに二次抗体として、例えば、ヤギ抗マウス免疫グロブリン抗体をペルオキシダーゼ（ＰＥＯ）やアルカリホスファターゼ（ＡＬＰ）などの酵素で標識した酵素標識抗体を加えて、固相化抗原と結合した一次抗体と結合させる。緩衝液で数回洗浄した後、標識酵素の基質を加え、発色した酵素反応生成物の吸光度を測定する。酵素としてＰＥＯ、例えば、西洋ワサビペルオキシダーゼ（ＨＲＰ）を用いる場合は、基質として過酸化水素、そして発色剤としてｏ−フェニレンジアミン、テトラメチルベンジジンなどを使用すればよい。酵素としてＡＬＰを用いる場合は、通常、基質としてｐ−ニトロフェニルリン酸を用いる。
【００４８】
上述の間接競合法において、試料を添加しない反応溶液の吸光度に対する、試料を添加することによる反応溶液の吸光度の減少量の比率をダイオキシン類による阻害率として測定する。その際、例えば、上記のクロロフェノール誘導体をダイオキシン類標準品として用い、試料に代えてこの標準品の複数の既知濃度の溶液を用いること以外は同様の操作で競合反応を行う。標準品の濃度と阻害率との関係を示す検量線を作成し、得られた検量線と試料中のダイオキシン類による阻害率とを比較することにより、試料中のダイオキシン類濃度を標準品換算濃度として算出することができる。
【００４９】
試料中のダイオキシン類濃度が高い場合は、抗ダイオキシン類抗体とダイオキシン類との結合量が多くなるため、固相化抗原に結合する抗体量が減少する。そのため、酵素抗原に結合する酵素標識された二次抗体の量が減り、発色強度が弱くなる。これに対して、試料中のダイオキシン類濃度が低い場合は、固相化抗原に結合する抗体量が多くなるため、この抗体に結合する二次抗体の量が多くなり、その結果強く発色する。つまり、被験試料中のダイオキシン類濃度によって発色の強度が異なる。
【００５０】
直接競合法においては、容器のウェル内に上記の抗ダイオキシン類抗体を固相化し、固相化抗体とする。次いで、ウェルの抗体が結合していない部分を上記間接競合法の場合と同様にしてブロッキングする。次いで、このウェルに競合用の酵素標識抗原および検体を加えることにより、試料および酵素標識抗原を固相化抗体に対して競合反応させる。次いで、固相化抗体（抗ダイオキシン類抗体）と結合しなかった酵素標識抗原を洗浄除去し、標識に使用した酵素の基質を加えて反応生成物の吸光度を測定する。
【００５１】
酵素標識抗原は、間接競合法で使用する競合用抗原と同様のダイオキシン類もしくはダイオキシン様化合物に、ＰＥＯまたはＡＬＰのような酵素を結合することにより調製できる。また、特許文献４に開示されるクロロフェノール誘導体の末端に存在しているアミノ酸またはペプチド部分をＰＥＯまたはＡＬＰのような酵素に変えたものを使用する場合は感度が向上する。
【００５２】
上記の任意の測定方法によって得られた試料（濃度未知試料）中のダイオキシン類濃度は、標準品換算濃度である。毒性等量が既知の複数の試料を測定することによって予め毒性等量と標準品換算濃度との関係を算出した換算係数を、試料の標準品換算濃度に乗じて毒性等量（ＴＥＱ）に変換する。
【００５３】
以下、実施例を挙げて本発明を具体的に説明するが、本発明はこれらに限定されるものではない。
【実施例】
【００５４】
（実施例１：土壌試料および排出ガス試料における各ダイオキシン類異性体濃度とＴＥＱ値の測定）
９２検体の土壌をそれぞれ約２５〜５０ｇ採取し、トルエン５００ｍｌで試料中の物質を抽出し、２０ｍｌに定量して粗抽出液とした。また、都市ごみ焼却場の煙道から排出ガス２７５検体について、各約４ｍ３Ｎを、採取した。採取した試料を、公定法（ＪＩＳ  Ｋ０３１１）に準じて、ろ紙、樹脂、吸収液などの形態ごとにトルエンまたはジクロロメタンを用いて抽出した。これらの抽出液を合わせて２０ｍｌまで濃縮し、粗抽出液を得た。
【００５５】
土壌および排出ガスの粗抽出液から各１ｍｌ分取し、硫酸処理、多層シリカゲルクロマトグラフ処理および活性炭カラムクロマトグラフ処理を行って精製した。精製した各試料について、ガスクロマトグラフ質量分析計（Ｍｉｃｒｏｍａｓｓ社製）によって各ダイオキシン類異性体濃度を求めた。次に、各ダイオキシン類異性体濃度にその毒性等価係数（ＴＥＦ）を乗じて、土壌および排出ガス試料中のダイオキシン類毒性等量（ＴＥＱ）を算出した。土壌試料および排出ガス試料における各ダイオキシン類異性体濃度と毒性等量（ＴＥＱ）との相関係数を、表１に示す。
【００５６】
【表１】
2010266317.tif 000003
【００５７】
表１は、種々の汚染源由来の土壌試料９２検体および廃棄物焼却炉由来の排出ガス２７５検体のＧＣ／ＭＳ測定結果から算出した、各ダイオキシン類異性体濃度と毒性等量（ＴＥＱ）との相関係数を示す。排出ガス試料では、２，３，４，７，８−ＰｅＣＤＦなどの五塩素化および六塩素化ジベンゾフラン類とのＴＥＱ相関性が高い。一方、土壌試料においては、３，３’，４，４’，５，５’−ＨｘＣＢ（ＰＣＢ＃１６９）濃度が最もＴＥＱと相関性が高い。この結果から、ＧＣ／ＭＳと相関性の高いＥＬＩＳＡ測定値を得るには、排出ガス試料に対しては、五塩素化および六塩素化ジベンゾフラン類との反応性が高い抗体を用いればよく、一方、汚染源が異なる土壌試料については、ＰＣＢ＃１６９と反応性の高い抗体を測定に供すればよいことが見出された。
【００５８】
（実施例２：抗ダイオキシン類モノクローナル抗体の作製）
（１）免疫原用抗原の調製
以下の式
【００５９】
【化２】
2010266317.tif 000004
【００６０】
で表されるハプテン化合物を用いて、活性エステル法により免疫用抗原を作製した。
【００６１】
まず、上記ハプテン化合物を、ＤＭＦ中、１．２当量のヒドロキシスクシンイミドおよび１．５当量の１−エチル−３−（３−ジエチルアミノプロピル）カルボジイミド塩酸塩と室温にて１６時間反応させた。反応液を塩化メチレンで抽出した後、減圧下にて溶媒を留去して、活性エステル体を得た。次いで、１５ｍｇのＢＳＡを５０ｍＭリン酸緩衝液（ｐＨ８．０）１ｍｌに溶解し、１ｍｌのＤＭＳＯに溶解した４．９８ｍｇ（４０当量）の活性エステル体溶液を滴下し、室温にて１時間反応させた。反応後、リン酸緩衝化生理食塩水（ＰＢＳ）で平衡化したゲル濾過カラム（ＰＤ−１０：アマシャムバイオサイエンス株式会社製）で精製し、免疫用抗原を得た。得られた免疫用抗原のハプテン導入率は、吸光スペクトルの解析により、ＢＳＡの分子量を６６０００とし、ＢＳＡ１分子当たりに結合したハプテンの分子数として算出したところ、４０個であった。なお、本抗原は、抗体を選抜する際の固相化抗原としても使用可能である。
【００６２】
（２）マウスの免疫
上記（１）で調製した免疫用抗原２ｍｇを、１ｍｌのＰＢＳに溶解し、等量の完全フロイントアジュバントと混和し、１ｍｇ／ｍｌのエマルジョンを作製した。このエマルジョンを５匹のＢＡＬＢ／ｃマウスに、１匹当たり５〜１５μｇの抗原量となるように腹腔内投与した。同様の操作で、２週間おきに６回追加免疫した。各回の免疫の１週間後に採血し、血液を室温にて１時間放置した後、血餅を分離して抗血清を得、動物の抗体価を求めた。
【００６３】
（３）抗体価の測定
上記（１）で得られた免疫用抗原を、ＰＢＳで０．８４μｇ／ｍｌになるように希釈した。この希釈液を、９６ウェルアッセイプレート（Ｃｏｓｔａｒ社製：カタログ番号３５９０）の各ウェルに５０μｌずつ分注し、プレートを密閉して３７℃にて１時間静置した。各ウェルをＴｗｅｅｎ２０を０．００５％(v/v)含むＰＢＳで３回洗浄した後、１％(w/v)ゼラチン（ＢＩＯ−ＲＡＤ社製：カタログ番号１７０−６５３７）を含むＰＢＳを３００μｌずつウェルに分注し、プレートを密閉して３７℃にて２時間静置した。各ウェルをＴｗｅｅｎ２０を０．００５％(v/v)含むＰＢＳで３回洗浄した後、最終濃度１０−６〜１０−８Ｍの３，３’，４，４’，５，５’−ＨｘＣＢ（ＰＣＢ＃１６９）および２，３，４，７，８−ＰｅＣＤＦを含む５０％(v/v)ＤＭＳＯ水溶液２５μｌを各ウェルに添加した。添加後直ちに、１ｍｇ／ｍｌのＢＳＡを含むＰＢＳで１０００倍希釈した抗血清（上記（２）で得られた抗血清）を各ウェルに２５μｌずつ添加し、プレートを軽く振とう撹拌した後、室温にて１時間静置した。各ウェルを、Ｔｗｅｅｎ２０を０．００５％(v/v)含むＰＢＳで３回洗浄した後、１％(w/v)ゼラチンを含むＰＢＳで２０００倍に希釈したヤギ抗マウスＩｇＧ（Ｈ＋Ｇ）ＨＲＰ標識抗体（アフィニティー精製）５０μｌを分注した。プレートを室温にて１時間静置した後、Ｔｗｅｅｎ２０を０．００５％(v/v)含むＰＢＳで３回洗浄し、各ウェルにＨＲＰの基質であるＴＭＢ（ＫＰＬ社製）５０μｌを分注し、室温にて１０分間静置した。各ウェルに１Ｍリン酸溶液を５０μｌずつ添加し、マイクロタイター用分光光度計で波長４５０ｎｍ（対照６３０ｎｍ）の吸光度を測定した。非特異的吸着によるバックグラウンドを考慮し、抗原を固相化したウェルの測定値から、抗原を固相化していないウェルの測定値を差し引いて抗体価を求めた。
【００６４】
（４）抗ダイオキシン類モノクローナル抗体の作製
上記（３）の測定により高い抗体価を有することを確認したマウスについて、尾静脈に、滅菌ＰＢＳで希釈した免疫原（ＢＳＡに結合させた上記式の化合物（ハプテン化合物））をブースターとして５０μｇ（５０μｌ）投与した。最終投与の３日後に、当業者が通常用いる方法に従って、無菌的にマウスより脾臓を摘出し、脾臓細胞を分離して、ＲＰＭＩ１６４０培地にて３回洗浄し、脾臓細胞浮遊液を調製した。細胞数をカウントし、予め培養していたＳＰ２／０ミエローマ細胞（ＢＡＬＢ／ｃマウス由来骨髄腫細胞）と脾臓細胞とが１：１０の割合の細胞数になるように混合し、遠心分離して上清を除去した。上清除去後、ＰＥＧ１５００溶液を加えて細胞を撹拌し、さらにＲＰＭ１６４０培地を加えて細胞融合を行った。次いで、遠心分離により上清を除去し、ＨＡＴ培地を加えて細胞を浮遊させ、９６ウェル培養プレートに１〜２×１０６細胞／ｍｌの濃度で１００μｌを撒種し、炭酸ガス培養器内で３７℃にて培養を行った。１０〜１４日後にコロニーが出現したウェルより上清１００μｌを採取し、希釈せずに上記（３）の方法により抗体価を測定した。抗体価を検出したクローンを２４ウェル培養プレートに移して培養を継続し、継続した抗体産生を確認するために、数日おきに抗体価を測定した。高い抗体価を継続して維持しているクローンを選抜し、ＨＴ添加１０％(w/v)ＦＣＳ含有ＲＰＭＩ１６４０培地を用いて限界希釈法によるクローニングを３〜５回行って、複数の抗体産生株を得た。
【００６５】
得られた各抗体産生株を、プリスタン前投与ＢＡＬＢ／ｃマウスの腹腔に移植し、細胞の増殖とともに腹腔内に溜まった腹水を回収した。回収した腹水を、Ｐｒｏｔｅｉｎ  Ｇ−Ｓｅｐｈａｒｏｓｅ（ＢＩＯ−ＲＡＤ社製）を担体としたアフィニティークロマトグラフィーにかけて抗体含有画分を集め、ＰＢＳに対して透析して、各精製モノクローナル抗体を得た。
【００６６】
（５）モノクローナル抗体のダイオキシン類異性体に対する特異性評価
上記（４）で得られた各モノクローナル抗体について、ダイオキシン類異性体に対する特異性評価を行った。まず、上記（１）で得られた免疫用抗原を、ＰＢＳで１μｇ／ｍｌになるように希釈した。この希釈液を、９６ウェルアッセイプレート（Ｃｏｓｔａｒ社製：カタログ番号３５９０）の各ウェルに５０μｌずつ分注し、プレートを密閉して３７℃にて１時間静置した。各ウェルを、Ｔｗｅｅｎ２０を０．００５％(v/v)含むＰＢＳで３回洗浄した後、蒸留水で２５％(v/v)に希釈したブロックエース（雪印社製）３００μｌを各ウェルに分注し、プレートを密閉して３７℃にて２時間静置した。各ウェルを、Ｔｗｅｅｎ２０を０．００５％(v/v)含むＰＢＳで３回洗浄した後、Ｔｒｉｔｏｎ  Ｘ１００を０．０１％(v/v)含む２０％(v/v)ＤＭＳＯで最終濃度５×１０−７Ｍに希釈したダイオキシン類化合物または希釈に用いた溶媒を２５μｌずつ各ウェルに添加した。添加後直ちに、１ｍｇ／ｍｌのＢＳＡを含むＰＢＳで０．１μｇ／ｍｌになるように希釈した抗体溶液を各ウェルに２５μｌずつ添加し、プレートを軽く振とう撹拌した後、室温にて１時間静置した。各ウェルを、Ｔｗｅｅｎ２０を０．００５％(v/v)含むＰＢＳで３回洗浄した後、１０％(v/v)ブロックエースで２０００倍に希釈したヤギ抗マウスＩｇＧ（Ｈ＋Ｌ）ＨＲＰ標識抗体（アフィニティー精製）５０μｌを分注した。プレートを室温にて１時間静置した後、Ｔｗｅｅｎ２０を０．００５％(v/v)含むＰＢＳで３回洗浄し、各ウェルにＨＲＰの基質であるＴＭＢ（ＫＰＬ社製）５０μｌを分注し、室温にて１０分間静置した。各ウェルに１Ｍリン酸溶液を５０μｌずつ添加し、マイクロタイター用分光光度計で波長４５０ｎｍ（対照６３０ｎｍ）の吸光度を測定した。反応評価は、ダイオキシン類化合物未添加時（希釈用溶媒）の吸光度を１００とし、各ダイオキシン類添加時の吸光度を阻害率（％）として算出した。得られた各モノクローナル抗体の特異性評価の結果を表２に示す。
【００６７】
【表２】
2010266317.tif 000005
【００６８】
表２からわかるように、いずれも同様の特異性を有しており、１，２，３，６，７，８−ＨｘＣＤＤおよび３，３’，４，４’，５，５’−ＨｘＣＢに対して反応性が高いことがわかった。一方、２，３，７，８−ＴｅＣＤＤに対する反応性は低かった。
【００６９】
（６）モノクローナル抗体のサブクラスの決定
上記（４）で得られた各モノクローナル抗体について、各培養上清を用い、そして二次抗体としてＢＩＯ−ＲＡＤ社製タイピングキットに添付のタイピング用抗体パネルを用いて、サブクラスの決定を行った。タイピングの結果、モノクローナル抗体はいずれもＩｇＧ１（Ｌ鎖、κ）であった。
【００７０】
（実施例３：交差反応性の検討）
非特許文献３および４に開示された抗体（抗体Ａという；ダイオキシン類測定キットであるダイオクイッカー（東洋紡績株式会社製）に含まれる抗体）および上記実施例２で作製したモノクローナル抗体（抗体Ｂという）について、ＴＥＦを有する２９種類のダイオキシン異性体との交差反応性を、以下に記載のＥＬＩＳＡ（特許文献３および４に開示された測定方法）によって検討した。
【００７１】
測定には、所定量の競合用抗原（２，４，５−トリクロロフェノールグリシルグリシン：以下、ＴＣＰ−グリシルグリシンという）をＢＳＡに結合させて固相化（固相化抗原）した９６ウェルマイクロプレートを用いた。まず、試料をクリーンアップ処理し、ＤＭＳＯに転溶した。このＤＭＳＯに転溶した試料２５μｌに、リン酸緩衝液２５μｌおよびと一次抗体である抗ダイオキシン類抗体５０μｌを加えて撹拌し、次いでこの混合液をウェルに入れて１時間放置した。このとき、抗ダイオキシン類抗体と試料中のダイオキシン類とが優先的に結合し、過剰量の抗ダイオキシン類抗体が、固相化抗原と結合する。
【００７２】
次いで、固相化抗原と結合しなかった抗ダイオキシン類抗体を洗浄除去後、同ウェルに二次抗体としてヤギ抗マウスＩｇＧ（Ｈ＋Ｌ）ＨＲＰ標識抗体（アフィニティー精製）１００μｌを加え、室温で１時間放置して、固相化抗原と結合した一次抗体と結合させた。ウェル内を緩衝液で数回洗浄した後、発色基質であるテトラメチルベンジジン（ＴＭＢ）１００μｌを加え、暗所にて室温で３０分間反応させた。次いで、０．５ｍｏｌ／ｌの硫酸１００μｌをウェルに加えて酵素反応を停止させ、青色から黄色に変色させた。この発色波長である４５０ｎｍにおける吸光度を、マイクロプレートリーダーにて測定した。また、試料を添加しない反応溶液の吸光度（ブランク吸光度）も測定し、このブランク吸光度に対する、試料を添加したことによる反応溶液の吸光度の減少量の比率を、試料による阻害率として測定した。
【００７３】
一方、標準品としてＴＣＰ−グリシルグリシンを用い、その複数の既知濃度溶液を用いて同様の操作で競合反応させ、標準品の濃度と阻害率との関係を示す検量線を作成した。得られた検量線と試料による阻害率とを比較することにより、試料中のダイオキシン類濃度を標準品換算濃度として算出した。なお、ＴＣＰ−グリシルグリシンの測定は、試料の測定と同一のプレート上で同時に行った。最終的に、毒性等量が既知の複数の試料を測定することによって、予め毒性等量と標準品換算濃度との関係を算出した換算係数を、試験試料（濃度未知試料）の測定によって得られた標準品換算濃度に乗じて毒性等量（ＴＥＱ）に変換した。
【００７４】
各抗体が最も反応する異性体（抗体Ａでは１，２，３，７，８−ＰｅＣＤＦ、抗体Ｂでは１，２，３，６，７，８−ＨｘＣＤＤ）のＩＣ５０値（抗原抗体反応を５０％阻害する濃度：ｎｇ／ｍｌ）を１００として、それに対する各異性体のＩＣ５０値より、交差反応率（％）を算出した。結果を表３に示す。
【００７５】
【表３】
2010266317.tif 000006
【００７６】
抗体Ａは、五塩素化および六塩素化ジベンゾフラン類との反応性が高いという特性を有する。一方、抗体Ｂは、五塩素化および六塩素化ジベンゾフラン類だけでなく、３，３’，４，４’，５，５’−ＨｘＣＢ（ＰＣＢ＃１６９）との反応性も高いことがわかった。したがって、抗体Ａは、廃棄物焼却施設由来の排出ガス試料におけるＴＥＱ測定に有効であるが、ＰＣＢｓとの反応性を有さないため、試料の採取箇所によって異性体分布の異なる土壌試料の測定には適さない。一方、抗体Ｂは、五塩素化および六塩素化ジベンゾフラン類だけでなく、ＰＣＢ＃１６９との反応性も高いという特性を有するため、土壌試料のＴＥＱ測定に適することが予測される。
【００７７】
（実施例４：ＧＣ／ＭＳ法との相関性の検討）
種々の汚染源によって汚染された土壌試料および底質試料中のダイオキシン類濃度を、上記抗体Ａおよび上記実施例２で作製した抗体Ｂを用いて、ＥＬＩＳＡによって測定した。測定した土壌試料は、焼却汚染、ＰＣＢ汚染および農薬汚染の３種１６検体であった。また、底質試料は、農薬汚染、ＰＣＢ汚染および工場排水汚染由来の３種１２検体であった。
【００７８】
土壌試料および底質試料をそれぞれ約８〜１０ｇ採取し、トルエン５００ｍｌで試料中の物質を抽出し、２０ｍｌに定量して粗抽出液とした。粗抽出液から各１ｍｌ分取し、硫酸処理、多層シリカゲルクロマトグラフ処理および活性炭カラムクロマトグラフ処理を行ってクリーンアップした。各クリーンアップした試料について、上記のＥＬＩＳＡによる測定手順に従ってダイオキシン類濃度を測定し、ＴＥＱ値に変換した。また、同じ試料について、クリーンアップを行った後、ガスクロマトグラフ質量分析計（Ｍｉｃｒｏｍａｓｓ社製）によりＴＥＱ値を測定した。結果を、図２〜５に示す。
【００７９】
図２〜５のグラフでは、横軸に各試料のＧＣ／ＭＳ値（ｐｇ−ＴＥＱ／ｇ）、縦軸に各抗体を用いて測定したＥＬＩＳＡ値（ｐｇ−ＴＥＱ／ｇ）を示す。太線は、ＧＣ／ＭＳ値とＥＬＩＳＡ値の１：１の関係を示し、その上下に０．５〜２倍範囲を点線で併記した。
【００８０】
図２および図３は、抗体Ａを用いたＥＬＩＳＡ測定系での土壌試料および底質試料の測定した結果を示す。抗体Ａは、五塩素化および六塩素化ジベンゾフラン類と特異的に反応する特性を有するため、焼却汚染および農薬汚染由来の試料ではＧＣ／ＭＳ値と相関性の高い結果が得られた。しかし、ＰＣＢｓとは反応しないため、ＰＣＢ汚染由来の土壌試料の測定結果は、ＧＣ／ＭＳ値よりも極めて低く算出された。
【００８１】
図４および図５は、抗体Ｂを用いたＥＬＩＳＡ測定系での土壌試料および底質試料の測定した結果を示す。抗体Ｂは、五塩素化および六塩素化ジベンゾフランだけでなく、ＰＣＢ＃１６９とも高い反応性を有する特性を有するため、汚染源にかかわらずＧＣ／ＭＳ値と相関性の高い結果が得られた。このことから、３，３’，４，４’，５，５’−ＨｘＣＢ（ＰＣＢ＃１６９）に高い親和性を有する抗体を用いれば、土壌や底質の汚染源にかかわらず、ＧＣ／ＭＳ値と相関性の高い測定値を得ることができることがわかった。特に、五塩素化および六塩素化ジベンゾフラン類とＰＣＢ＃１６９との両方に高い親和性を有すれば、排出ガスや土壌などの試料の種類にかかわらず、ＧＣ／ＭＳ値と相関性の高い測定値を得ることができることがわかった。
【産業上の利用可能性】
【００８２】
本発明の方法によれば、汚染源にかかわらず、公定法（ＧＣ／ＭＳ法）によるＴＥＱ（毒性等量）と一致した測定結果を、迅速に算出することができる。この方法により、環境試料中のダイオキシン類の簡易分析、モニタリングなどが迅速かつ簡易になる。
【図１】
2010266317.tif 000007
【図２】
2010266317.tif 000008
【図３】
2010266317.tif 000009
【図４】
2010266317.tif 000010
【図５】
2010266317.tif 000011